【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
表示パネルに表示される画像に対応する画像データに基づいて第１電圧データを生成するように構成された画像処理回路部と、
前記表示パネルに配置される画素で消費される総電流と前記表示パネルにおける前記画素の位置とに基づいて、前記画素について補正値を生成するように構成された補償回路部と、
前記第１電圧データを前記補正値に基づいて補正することで第２電圧データを生成するように構成された電圧データ生成部と、
前記第２電圧データに基づいて前記画素に駆動電圧を書き込むように構成された駆動回路部
とを備える
表示ドライバ。
【請求項２】
前記補正値は、前記表示パネルに含まれる電源配線における電圧降下を補償するように生成される
請求項１に記載の表示ドライバ。
【請求項３】
前記補正値は、補償ゲインを含む
請求項１に記載の表示ドライバ。
【請求項４】
前記補償回路部は、
前記総電流に応じてエリアゲインを生成し、
前記画素について、前記表示パネルにおける前記画素の位置に基づいて位置依存ゲインを生成し、
前記エリアゲインと前記位置依存ゲインとに基づいて前記補償ゲインを算出する
ように構成された
請求項３に記載の表示ドライバ。
【請求項５】
前記電圧データ生成部は、前記第２電圧データに記述された電圧値を、前記第１電圧データに記述された電圧値と前記補償ゲインとの積として算出するように更に構成された
請求項４に記載の表示ドライバ。
【請求項６】
前記画素の位置と前記位置依存ゲインとの対応関係は、前記総電流に依存する
請求項４に記載の表示ドライバ。
【請求項７】
前記補償回路部は、第１対応情報と第２対応情報とに基づいて前記位置依存ゲインを算出するように構成されており、
前記第１対応情報は、前記総電流の第１電流値について前記画素の位置と前記位置依存ゲインとの対応関係を示しており、
前記第２対応情報は、前記総電流の第２電流値について前記画素の位置と前記位置依存ゲインとの対応関係を示している、
請求項４に記載の表示ドライバ。
【請求項８】
前記補償回路部は、
前記総電流の第１電流値について前記画素の位置と前記位置依存ゲインとの対応関係を記述する第１ＬＵＴと、
前記総電流の第２電流値について前記画素の位置と前記位置依存ゲインとの対応関係を記述する第２ＬＵＴ
とを備えており、
前記補償回路部は、前記第１ＬＵＴと前記第２ＬＵＴとに基づいて前記位置依存ゲインを算出するように構成された
請求項４に記載の表示ドライバ。
【請求項９】
前記補償回路部は、
前記総電流のシミュレーション値を算出し、
前記第１ＬＵＴにおいて前記画素の位置に対応付けられた第１位置依存ゲインと前記第２ＬＵＴにおいて前記画素の位置に対応付けられた第２位置依存ゲインとの間の補間により、前記位置依存ゲインを算出する
ように更に構成され、
前記補間が、前記総電流のシミュレーション値に基づいている
請求項８に記載の表示ドライバ。
【請求項１０】
前記補償回路部は、
前記総電流のシミュレーション値を算出し、
前記総電流の前記シミュレーション値に応じて前記エリアゲインを生成する
ように更に構成された
請求項４に記載の表示ドライバ。
【請求項１１】
前記補償回路部は、
前記表示パネルの複数のセグメントのそれぞれについて、前記複数のセグメントのそれぞれに配置された画素のサブセットに流れる電流のシミュレーション値の和を算出し、
前記複数のセグメントのそれぞれについて算出された前記和に基づいて、前記総電流の前記シミュレーション値を算出する
ように更に構成された
請求項１０に記載の表示ドライバ。
【請求項１２】
前記補償回路部は、
第１フレーム期間において、前記複数のセグメントのうちの第１セグメントに配置された画素の一又は複数に駆動電圧が書き込まれるとき、
前記第１セグメント及び前記第１フレーム期間において未だ駆動電圧が書き込まれていない一又は複数セグメントについて、前フレーム期間に表示された画像に対応する前記画像データに基づいて算出された一以上の和と、
前記第１フレーム期間において既に駆動電圧が書き込まれたセグメントについて、前記第１フレーム期間に表示される画像に対応する前記画像データに基づいて算出された一以上の和と
に基づいて、前記総電流の前記シミュレーション値を算出するように構成された
請求項１１に記載の表示ドライバ。
【請求項１３】
前記補償回路部は、
前記第１セグメントに配置された画素に駆動電圧が書き込まれるとき、
前記第１セグメントについて算出された前記総電流の前記シミュレーション値に基づいて得られる前記エリアゲインと、前記第１セグメントと異なるセグメントについて算出された前記総電流の前記シミュレーション値に基づいて得られる前記エリアゲインとを、前記第１セグメントに配置された前記画素の位置に基づいて補間することで、
前記補償ゲインの生成に用いる前記エリアゲインを生成するように更に構成された
請求項１２に記載の表示ドライバ。
【請求項１４】
複数の電源端子と、前記複数の電源端子から電源電圧が供給される画素とを備える表示パネルと、
前記表示パネルに表示される画像に対応する画像データに基づいて第１電圧データを生成する画像処理回路部と、
前記表示パネルに設けられる前記画素で消費される総電流と前記表示パネルにおける前記画素の位置とに応じて、前記画素について補正値を生成する補償回路部と、
前記第１電圧データを前記補正値に応じて補正することで第２電圧データを生成する電圧データ生成部と、
前記第２電圧データに応じて前記画素に駆動電圧を書き込む駆動回路部
とを備える
表示装置。
【請求項１５】
前記補正値は、補償ゲインを含み、
前記補償回路部は、
前記総電流に応じてエリアゲインを生成し、
前記画素について、前記表示パネルにおける前記画素の位置に応じて位置依存ゲインを生成し、
前記エリアゲインと前記位置依存ゲインとから前記補償ゲインを算出する
ように構成された
請求項１４に記載の表示装置。
【請求項１６】
前記画素の位置と前記位置依存ゲインとの対応関係は、前記総電流に依存する
請求項１５に記載の表示装置。
【請求項１７】
前記補償回路部は、
前記総電流の第１電流値について前記画素の位置と前記位置依存ゲインとの対応関係を記述する第１ＬＵＴと、
前記総電流の第２電流値について前記画素の位置と前記位置依存ゲインとの対応関係を記述する第２ＬＵＴ
とを備えており、
前記補償回路部は、前記第１ＬＵＴと前記第２ＬＵＴとに基づいて前記位置依存ゲインを算出するように構成された
請求項１５に記載の表示装置。
【請求項１８】
複数の電源端子と、前記複数の電源端子から電源電圧が供給される画素とを備える表示パネルに表示される画像に対応する画像データから第１電圧データを生成することと、
前記表示パネルに設けられる前記画素で消費される総電流と前記表示パネルにおける前記画素の位置とに応じて、前記画素について補正値を生成することと、
前記第１電圧データを前記補正値に応じて補正することで第２電圧データを生成することと、
前記第２電圧データに応じて前記画素に駆動電圧を書き込むこと
とを含む
表示パネルの駆動方法。
【請求項１９】
前記補正値は、補償ゲインを含み、
前記第２電圧データを生成することは、
前記総電流に基づいてエリアゲインを生成することと、
前記画素のそれぞれについて、前記表示パネルにおける前記画素の位置に基づいて位置依存ゲインを生成することと、
前記エリアゲインと前記位置依存ゲインとに基づいて前記補償ゲインを算出することと、
前記第１電圧データと前記補償ゲインとに基づいて前記第２電圧データを生成すること
とを含む
請求項１８に記載の表示パネルの駆動方法。
【請求項２０】
前記画素の位置と、生成される前記位置依存ゲインとの対応関係は、前記総電流に依存する
請求項１９に記載の表示パネルの駆動方法。